(57)【特許請求の範囲】
【請求項１】
少なくとも基材層と金属箔層と最内層の熱接着性樹脂層とが順次積層されて構成され、
前記熱接着性樹脂層を対向させて周縁をヒートシールすることにより形成された収納部内部に、正極活物質及び正極集電体から成る正極と、負極活物質及び負極集電体から成る負極と、前記正極及び負極間に充填される電解質と、を含む電気化学セル本体が密封される電気化学セル用包装材料であって、
前記熱接着性樹脂層の内側の一部に耐熱性樹脂層を含み耐電解液性を有して前記熱接着性樹脂層よりも融点及びガラス転移点の高い耐熱性フィルムが設けられ、
前記耐熱性フィルムが前記熱接着性樹脂層と熱融着しており前記収納部内部に配されていることを特徴とする電気化学セル用包装材料。
【請求項２】
複数の前記正極集電体又は前記負極集電体が重畳して正極タブ又は負極タブにそれぞれ接合され、前記正極タブ及び前記負極タブを挟持した状態で先端を外部に延出させる電気化学セル用包装材料であって、
前記耐熱性フィルムが前記正極集電体及び前記負極集電体と対向する領域に設けられていることを特徴とする請求項１に記載の電気化学セル用包装材料。
【請求項３】
前記電気化学セル用包装材料がエンボス成型されており、
エンボス成型により形成された側壁と底面との境界部を含む領域に前記耐熱性フィルムが設けられていることを特徴とする請求項２に記載の電気化学セル用包装材料。
【請求項４】
前記耐熱性フィルムが耐熱性樹脂層の一方の面に酸変性ポリオレフィン層を備え、前記酸変性ポリオレフィン層と前記熱接着性樹脂層が熱融着していることを特徴とする請求項１〜請求項３のいずれかに記載の電気化学セル用包装材料。
【請求項５】
前記酸変性ポリオレフィン層が前記熱接着性樹脂層より低い融点の樹脂で構成されていることを特徴とする請求項４に記載の電気化学セル用包装材料。
【請求項６】
請求項１〜請求項５のいずれかに記載の電気化学セル用包装材料を備えることを特徴とする電気化学セル。
【請求項７】
少なくとも基材層と金属箔層と最内層の熱接着性樹脂層とを順次積層した電気化学セル用包装材料の一部に耐熱性樹脂層の一方の面に粘着性付与樹脂が添加され酸変性ポリオレフィン層を備え耐電解液性を有して前記熱接着性樹脂層よりも融点及びガラス転移点が高い耐熱性フィルムを仮着する仮着工程と、
前記仮着工程の後工程であって、前記電気化学セル用包装材料を所定温度の環境下で所定時間加熱して前記熱接着性樹脂層と前記酸変性ポリオレフィン層とを熱融着させる熱融着工程とを含むことを特徴とする電気化学セル用包装材料の製造方法。
【請求項８】
前記仮着工程の前工程であって、前記電気化学セル用包装材料をエンボス成型して側壁を形成する成型工程を含むことを特徴とする請求項７に記載の電気化学セル用包装材料の製造方法。
【発明の詳細な説明】
【技術分野】
【０００１】
本発明は、製造コストを抑えながら安定した耐熱性を示す電気化学セル用包装材料およびその製造方法に関するものである。
【背景技術】
【０００２】
図８は電気化学セル用包装材料の層構造を示す概略断面図である。電気化学セル用包装材料２１０は基材層２１１、金属箔層２１２、熱接着性樹脂層２１３が順次積層しており、熱接着性樹脂層２１３同士を対向させて周縁部をヒートシールすることにより電気化学セルの外装体が形成される。
【０００３】
このような外装体を備えるリチウムイオン電池において、過充電等によりリチウムイオン電池自身が発熱し、熱接着性樹脂層２１３の一部が溶融することがある。このとき、外装体内部に収納されたセル又は集電体と金属箔層２１２が接触して内部短絡を起こすことが問題となっていた。
【０００４】
特許文献１では熱接着性樹脂層を酸変性ポリオレフィン層と高融点ポリプロピレン層とエチレン・プロピレンランダムコポリマ層（熱接着性樹脂層）の３層で構成した外装体が開示されている。高融点のポリプロピレン層は溶融し難いため、電池タブと金属箔層２１２の内部短絡が防止される。また、特許文献２では絶縁性樹脂で覆われた集電体を有するリチウムイオン電池が開示されている。熱接着性樹脂層の一部が溶融しても絶縁性樹脂が溶融せず、集電体と金属箔層の接触が防止される。
【先行技術文献】
【特許文献】
【０００５】
【特許文献１】特開２００７−２７３３９８号公報
【特許文献２】特開２００９−１８１８９９号公報
【発明の概要】
【発明が解決しようとする課題】
【０００６】
しかしながら、特許文献１の外装体によると高融点ポリプロピレン層が溶融押出しにより積層されている。溶融押出しされるポリプロピレン樹脂は一般的に融点が１４０℃前後であり、高融点タイプのものでも１６０℃前後である。このため、発熱に起因する内部短絡を十分に抑制することができない。また、特許文献２の外装体によると集電体を絶縁性樹脂で覆う工程は複雑であり、リチウムイオン電池の製造コストが高くなる。
【０００７】
本発明は上記問題点に鑑み、製造コストを削減しながら、内部短絡の発生を防止する電気化学セル用包装材料及びその製造方法を提供することを目的とする。
【課題を解決するための手段】
【０００８】
上記目的を達成するために本発明は、少なくとも基材層と金属箔層と最内層の熱接着性樹脂層とを順次積層して構成され、前記熱接着性樹脂層を対向させて周縁をヒートシールして形成される収納部内部に、正極活物質及び正極集電体から成る正極と、負極活物質及び負極集電体から成る負極と、前記正極及び負極間に充填される電解質と、を含む電気化学セル本体を密封する電気化学セル用包装材料であって、前記熱接着性樹脂層の内側の一部に耐熱性樹脂層を含み耐電解液性を有する耐熱性フィルムを設けたことを特徴としている。
【０００９】
また本発明は、上記構成の電気化学セル用包装材料において、複数の前記正極集電体又は前記負極集電体が重畳状態で正極タブ又は負極タブにそれぞれ接合され、前記正極タブ及び前記負極タブを挟持しながら先端を外部に延出させる電気化学セル用包装材料であって、前記耐熱性フィルムが前記正極集電体及び前記負極集電体と対向する領域に設けられることを特徴としている。
【００１０】
また本発明は、上記構成の電気化学セル用包装材料において、前記電気化学セル用包装材料がエンボス成型されており、エンボス成型により形成された側壁と底面との境界部を含む領域に前記耐熱性フィルムが設けられることを特徴としている。
【００１１】
また本発明は、上記構成の電気化学セル用包装材料において、前記耐熱性フィルムが耐熱性樹脂層の一方の面に酸変性ポリオレフィン層を備え、前記酸変性ポリオレフィン層と前記熱接着性樹脂層が接合することを特徴としている。
【００１２】
また本発明は、上記構成の電気化学セル用包装材料において、前記耐熱性樹脂層の融点が２００℃以上であることを特徴としている。
【００１３】
また本発明の電気化学セルは、上記構成の電気化学セル用包装材料を用いたことを特徴としている。
【００１４】
また本発明の電気化学セル用包装材料の製造方法は、少なくとも基材層と金属箔層と最内層の熱接着性樹脂層とを順次積層した電気化学セル用包装材料の一部に耐熱性樹脂層の一方の面に粘着性を有する酸変性ポリオレフィン層を備え耐電解液性を有する耐熱性フィルムを仮着する仮着工程と、前記仮着工程の後工程であって、前記電気化学セル用包装材料を所定温度の環境下で所定時間加熱して前記熱接着性樹脂層と粘着性を有する前記酸変性ポリオレフィン層とを熱融着させる熱融着工程とを含むことを特徴としている。
【００１５】
また本発明の電気化学セル用包装材料の製造方法は、前記仮着工程の前工程であって、前記電気化学セル用包装材料をエンボス成型して側壁を形成する成型工程を含むことを特徴としている。
【発明の効果】
【００１６】
本発明の第１の構成によれば、電気化学セル本体が発熱して熱接着性樹脂層の一部が溶融した場合でも、耐熱性樹脂層を含む耐熱性フィルムを介して電気化学セル本体と金属箔層が接触しない。これにより、内部短絡の発生を防ぐことができる。
【００１７】
本発明の第２の構成によれば、正極集電体又は負極集電体が発熱した場合でも、正極集電体及び負極集電体と対向する領域に設けられた耐熱性フィルムを介して正極集電体又は負極集電体と金属箔層が接触するのを防ぐことができる。
【００１８】
本発明の第３の構成によれば、電気化学セル用包装材料をエンボス成型することにより側壁と底面が形成され、側壁と底面により形成される空間に電気化学セル本体を収納することができる。このとき、側壁と底面との境界部を含む領域に耐熱性フィルムを設けることで、正極集電体及び負極集電体と近接する領域が耐熱性フィルムで保護される。したがって、耐熱性フィルムを介して正極集電体又は負極集電体と金属箔層が接触するのを防ぐことができる。
【００１９】
本発明の第４の構成によれば、耐熱性フィルムが耐熱性樹脂層の一方の面に酸変性ポリオレフィン層を備えることにより、熱接着性樹脂層と酸変性ポリオレフィン層とを溶融接着して熱接着性樹脂層の内側に耐熱性フィルムを容易に設けることができる。
【００２０】
本発明の第５の構成によれば、耐熱性樹脂層の融点が２００℃以上であるため、電気化学セル本体が発熱しても耐熱性フィルムは容易に溶融しない。これにより、電気化学セル本体と金属箔層が接触するのを安定して防ぐことができる。
【００２１】
本発明の第６の構成によれば、電気化学セル用包装材料を用いることにより、内部短絡の発生を防止する電気化学セルを提供することができる。
【００２２】
本発明の第７の構成によれば、少なくとも基材層と金属箔層と最内層の熱接着性樹脂層とを順次積層した電気化学セル用包装材料の一部に耐熱性フィルムを仮着することにより、耐熱性フィルムを接着する際の位置決めが容易になる。
【００２３】
本発明の第８の構成によれば、耐熱性フィルムを仮着する仮着工程の前に、電気化学セル用包装材料をエンボス成型して凹部を形成することにより、凹部の内部形状に密着させて耐熱性フィルムを接着することができる。
【図面の簡単な説明】
【００２４】
【図１】本発明の電気化学セル用包装材料の層構造を示す概略断面図
【図２】本発明の電気化学セル用包装材料を外装体に用いたリチウムイオン電池の斜視図
【図３】図２中のリチウムイオン電池のＡ−Ａ’線断面図
【図４】本発明の電気化学セル用包装材料が収納するリチウムイオン電池本体の斜視図
【図５】本発明の電気化学セル用包装材料が収納するリチウムイオン電池本体の断面図
【図６】本発明の電気化学セル用包装材料に係る外装体の変形例を示す断面図
【図７】本発明の電気化学セル用包装材料を外装体に用いたリチウムイオン電池の変形例を示す分解断面図
【図８】従来の電気化学セル用包装材料の層構造を示す概略断面図
【発明を実施するための形態】
【００２５】
以下、図面を参照しながら本発明の電気化学セル用包装材料について説明する。図１は本発明の電気化学セル用包装材料の層構造を示す概略断面図であり、図２は本発明の電気化学セル用包装材料を用いたリチウムイオン電池の斜視図であり、図３は図２中のリチウムイオン電池のＡ−Ａ’線断面図である。
【００２６】
多層フィルムである電気化学セル用包装材料１１０は、基材層１１１、金属箔層１１２、酸変性ポリオレフィン層１１５、熱接着性樹脂層１１３が順次積層して構成され、熱接着性樹脂層１１３の一部には耐熱性フィルム１４０が設けられている。耐熱性フィルム１４０は耐熱性樹脂層１４２に酸変性ポリオレフィン層１４１を積層して構成される。図示していないが、耐熱性樹脂層１４２表面にはアンカーコート処理が施されている。また、金属箔層１１２の両面には化成処理層が施され、金属箔層１１２と酸変性ポリオレフィン層１１５及び接着層１１４との層間接着強度を高めている。金属箔層１１２と基材層１１１との間には接着層１１４が設けられている。
【００２７】
なお、本発明に係る電気化学セル用包装材料１１０は上記各層を含むとともに各層間に異なる層を介在させてもよい。電気化学セル用包装材料１１０を構成する各層の具体例については後で詳細に説明する。
【００２８】
リチウムイオン電池１２１は電気化学セル用包装材料１１０により作製される外装体１２０内部にリチウムイオン電池本体１２２を密封収納して構成される。外装体１２０は収納部を有する凹部１２０ａと収納部を覆うシート部１２０ｂにより構成される。凹部１２０ａは矩形状の電気化学セル用包装材料１１０をプレス成型して作製する。凹部１２０ａは底面１２０ｃと底面１２０ｃの外周縁から上方に起立する側壁１２０ｄと側壁１２０ｄの上端縁から外方へ水平方向に延出する周縁面１２０ｅにより構成される。
【００２９】
側壁１２０ｄと底面１２０ｃとの境界部１２０ｆ近傍は、リチウムイオン電池本体１２２が収納された状態においてリチウムイオン電池本体１２２と最も近接する位置である。少なくとも境界部１２０ｆを含む領域に耐熱性フィルム１４０が設けられる。また、側壁１２０ｄの斜面から底面１２０ｃの一部にまたがる領域は密集する集電体１２５a、１２５ｂと近接する領域である。このため、耐熱性フィルム１４０が側壁１２０ｄの斜面から底面１２０ｃの一部にまたがって設けられる。また、シート部１２０ｂの一部にも耐熱性フィルム１４０が設けられる。
【００３０】
凹部１２０ａの底面１２０ｃと側壁１２０ｄで囲まれる収納空間にリチウムイオン電池本体１２２が収納される。リチウムイオン電池本体１２２に連結される正極タブ１２３ａ及び負極タブ１２３は周縁面１２０ｅにおいてタブフィルム１３０を介在させて凹部１２０ａとシート部１２０ｂにより挟持されながら外部に延出する。正極タブ１２３ａ及び負極タブ１２３ｂは側壁１２０ｄの斜面から周縁面１２０ｅの水平面に沿って一部が屈曲している。
【００３１】
図４は本発明の電気化学セル用包装材料が収納するリチウムイオン電池本体の斜視図であり、図５は本発明の電気化学セル用包装材料が収納するリチウムイオン電池本体の断面図である。リチウムイオン電池本体１２２は、正極活物質及び正極集電体１２５ａから成る正極と、負極活物質及び負極集電体１２５ｂから成る負極と、正極及び負極間に充填される電解質（図示せず）とを含むセル（蓄電部）１２６により構成される。セル１２６は正極集電体１２５ａが延出する正極板と負極集電体１２５ｂが延出する負極板を複数積層して構成される。正極板と負極板はセパレータ（図示せず）を介して交互に複数積層される。積層された複数の正極集電体１２５ａ、負極集電体１２５ｂは重畳してそれぞれ一枚の正極タブ１２３ａ、負極タブ１２３ｂに連結する。
【００３２】
リチウムイオン電池本体１２２を凹部１２０ａの収納空間に収納したとき正極集電体１２５ａ及び負極集電体１２５ｂと耐熱性フィルム１４０は対向して近接する。これにより、熱接着性樹脂層１１３の一部が溶融した場合でも、耐熱性フィルム１４０により正極集電体１２５ａ又は負極集電体１２５ｂと金属箔層１１２とが接触するのが防止される。したがって、リチウムイオン電池１２１の内部短絡の発生を防ぐことができる。
【００３３】
図６は本発明の電気化学セル用包装材料に係る外装体の変形例を示す断面図である。パウチタイプの外装体１２０においても、正極集電体１２５ａ及び負極集電体１２５ｂと対向する領域に耐熱性フィルム１４０を配置することにより、正極集電体１２５ａ又は負極集電体１２５ｂと金属箔層１１２とが接触するのを防ぐことができる。
【００３４】
図７は本発明の電気化学セル用包装材料を外装体に用いたリチウムイオン電池の変形例を示す分解断面図である。耐熱性フィルム１４０はリチウムイオン電池本体１２２の他の部位と対向する領域に設けてもよい。例えば、耐熱性フィルム１４０が底面１２０ｃ全体を覆うように設けられることにより、セル１２６と金属箔層１１２とが接触するのを防ぐことができる。
【００３５】
次に電気化学セル用包装材料の製造方法について説明する。成型工程では、基材層１１２と金属箔層１１２と最内層の熱接着性樹脂層１１３とを順次積層した積層フィルムを矩形状に裁断した後、プレス成型して収納部を有する凹部１２０ａを形成する。凹部１２０ａの収納部は底面１２０ｃと側壁１２０ｄによって構成される。
【００３６】
仮着工程では、弱粘着性の酸変性ポリオレフィン層１４１を備える耐熱性フィルム１４０を底面１２０ｃと側壁１２０ｄの境界部１２０ｆを含む所定領域に仮着する。酸変性ポリオレフィン層１４１は粘着性付与樹脂が添加されており粘着性又は感圧性を有する。
【００３７】
熱融着工程では、耐熱性フィルム１４０が仮着した積層フィルムを所定温度の環境下で所定時間加熱する。これにより、低融点の酸変性ポリオレフィン層１４１が熱接着性樹脂層１１３に熱融着して電気化学セル用包装材料１１０が完成する。なお、酸変性ポリオレフィン層１４１を熱接着性樹脂層１１３より低い融点の樹脂で構成することにより、熱接着性樹脂層１１３を変性させることなく酸変性ポリオレフィン層１４１を熱接着性樹脂層１１３に熱融着させることができる。
【００３８】
熱融着工程の前に仮着工程を設けることにより、耐熱性フィルム１４０を接着する際の位置決めを容易に行うことができる。また、仮着工程の前に、成型工程を設けることにより、プレス成型の際に耐熱性フィルム１４０ａが熱接着性樹脂層１１３から剥離するのを防ぐことができる。これにより、凹部１２０ａの内部形状に密着させて耐熱性フィルム１４０を接着することができる。
【００３９】
次に、電気化学セル用包装材料１１０を構成する各層について詳細に説明する。基材層１１１は、延伸ポリエステルまたは延伸ナイロンフィルムを用いることができ、ポリエステル樹脂としては、ポリエチレンテレフタレート、ポリブチレンテレフタレート、ポリエチレンナフタレート、ポリブチレンナフタレート、共重合ポリエステル、ポリカーボネート等が挙げられる。またナイロンとしては、ポリアミド樹脂、すなわち、ナイロン６、ナイロン６，６、ナイロン６とナイロン６，６との共重合体、ナイロン６，１０、ポリメタキシリレンアジパミド（ＭＸＤ６）等が挙げられる。
【００４０】
また、基材層１１１は耐ピンホール性および電池の外装体とした時の絶縁性を向上させるために、ポリエステルフィルム又はナイロンフィルムの他、異なる材質のフィルムを積層化することも可能である。
【００４１】
金属箔層１１２は、外部からリチウムイオン電池１２１の内部に水蒸気が浸入することを防止するための層で、金属箔層単体のピンホール、及び加工適性（パウチ化、エンボス成形性）を安定化し、かつ耐ピンホール性をもたせるために厚さ１５μｍ以上のアルミニウムを用いる。
【００４２】
また、ピンホールの発生を改善し、リチウムイオン電池の外装体のタイプをエンボスタイプとする場合、エンボス成形におけるクラックなどの発生のないものとするために、金属箔層１１２として用いるアルミニウムの材質を、鉄含有量が０．３〜９．０重量％、好ましくは０．７〜２．０重量％とすることが望ましい。
【００４３】
これによって、鉄を含有していないアルミニウムと比較して、アルミニウムの展延性がよく、外装体として折り曲げによるピンホールの発生が少なくなり、包装材料料をエンボス成形する時に側壁を容易に形成することができる。なお、鉄含有量が、０．３重量％未満の場合は、ピンホールの発生の防止、エンボス成形性の改善等の効果が認められず、アルミニウムの鉄含有量が９．０重量％を超える場合は、アルミニウムとしての柔軟性が阻害され、包装材料として製袋性が悪くなる。
【００４４】
また、冷間圧延で製造されるアルミニウムは焼きなまし（いわゆる焼鈍処理）条件でその柔軟性・腰の強さ・硬さが変化するが、本発明において用いるアルミニウムは焼きなましをしていない硬質処理品より、多少または完全に焼きなまし処理をした軟質傾向にあるアルミニウムがよい。
【００４５】
また、化成処理は、クロム酸クロメート処理、リン酸クロメート処理、塗布型クロメート処理等のクロム系化成処理、あるいは、ジルコニウム、チタン、リン酸亜鉛等の非クロム系（塗布型）化成処理等により金属箔層１１２面に形成されるものであるが、連続処理が可能であると共に水洗工程が不要で処理コストを安価にすることができるという点などから塗布型化成処理、特にアミノ化フェノール重合体、３価クロム化合物、リン化合物、を含有する処理液で処理するのが最も好ましい。
【００４６】
また、化成処理の形成方法は、処理液をバーコー卜法、ロールコート法、グラビアコート法、浸漬法等の周知の塗布法を選択して成形すればよい。また、化成処理を施す前に金属箔層１１２表面に、予め、アルカリ浸漬法、電解洗浄法、酸洗浄法、酸活性化法等の周知の脱脂処理法で処理を施しておく方が、化成処理の機能を最大限に発現させるとともに、長期間維持することができる点から好ましい。
【００４７】
熱接着性樹脂層１１３は、熱接着性樹脂層１１３と正極タブ１２３ａ又は負極タブ１２３ｂとの間にタブフィルム１３０を介在させるか否かで樹脂種が異なる。タブフィルム１３０を介在させる場合には、プロピレン系樹脂の単体ないし混合物などからなるフィルムを用いればよく、タブフィルム１３０を介在させない場合、不飽和カルボン酸でグラフト変性した酸変性オレフィン樹脂からなるフィルムを用いればよい。
【００４８】
また、熱接着性樹脂層１１３としてはポリプロピレンが好適に用いられるが、線状低密度ポリエチレン、中密度ポリエチレンの単層または多層、または、線状低密度ポリエチレン、中密度ポリエチレンのブレンド樹脂からなる単層または多層からなるフィルムとしても使用できる。
【００４９】
前記各タイプのポリプロピレン、すなわち、ランダムプロピレン、ホモプロピレン、ブロックプロピレンおよび、線状低密度ポリエチレン、中密度ポリエチレンには、低結晶性のエチレンーブテン共重合体、低結晶性のプロピレンーブテン共重合体、エチレンとブテンとプロピレンの３成分共重合体からなるターポリマー、シリカ、ゼオライト、アクリル樹脂ビーズ等のアンチブロッキング剤（ＡＢ剤）、脂肪酸アマイド系のスリップ剤等を添加してもよい。
【００５０】
酸変性ポリオレフィン層１１５は金属箔層１１２と熱接着性樹脂層１１３とを安定して接着するために酸変性ポリプロピレンが好適に用いられる。酸変性ポリオレフィン層１１５、１４１は熱接着性樹脂層１１３に用いる樹脂種により適宜選択して用いる必要があり、酸変性ポリプロピレン以外の酸変性ポリオレフィン樹脂を用いる場合、不飽和カルボン酸でグラフト変性したポリオレフィン樹脂、エチレンないしプロピレンとアクリル酸、または、メタクリル酸との共重合体、あるいは、金属架橋ポリオレフィン樹脂等があり、必要に応じてブテン成分、エチレン−プロピレン−ブテン共重合体、非晶質のエチレン−プロピレン共重合体、プロピレン−α−オレフィン共重合体等を５％以上添加してもよい。
【００５１】
また、酸変性ポリプロピレンを用いる場合、
（１）ビガット軟化点１１５℃以上、融点１５０℃以上のホモタイプ、
（２）ビガット軟化点１０５℃以上、融点１３０℃以上のエチレンープロピレンとの共重合体（ランダム共重合タイプ）
（３）融点１１０℃以上である不飽和カルボン酸を用い酸変性重合した単体又はブレンド物等を用いることができる。
【００５２】
酸変性ポリオレフィン層１４１に粘着性付与樹脂を含有させて、粘着性又は感圧性を付与することができる。これにより、酸変性ポリオレフィン層１４１を耐熱性樹脂層１１３に仮着させることができる。使用される粘着性付与樹脂としては、例えば、ロジン類（重合ロジン、水添ロジン、ロジンエステル等）、テルペン樹脂、テルペンフェノール樹脂、クマロンインデン樹脂、石油樹脂などである。
【００５３】
耐熱性樹脂層１４２は二軸延伸ポリエチレンナフタレートフィルム（以下、ＰＥＮと呼称する）又は、二軸延伸ポリエチレンテレフタレートフィルム（以下、ＰＥＴと呼称する）を用いることができる。ＰＥＮやＰＥＴは熱接着性樹脂層１１３を形成する一般ポリオレフィン系樹脂と比べて融点・ガラス転移点が高い。このため、熱接着性樹脂層１１３の一部が溶融した場合でも耐熱性樹脂層１４２は溶融することなく残る。したがって、金属箔層１１２と発熱したリチウムイオン電池本体１２２が接触して内部短絡するのを防止することができる。なお、ＰＥＮ又はＰＥＮの表面には必要に応じて、アンカーコート処理、コロナ処理、オゾン処理、プラズマ処理等の周知の易接着手段を施してもよい。
【００５４】
ＰＥＮやＰＥＴ以外の耐熱性樹脂としては、ポリアミド、ポリフェニレンスルフィド（ＰＰＳ）、ポリメチルペンテン（ＴＰＸ（登録商標））、ポリアセタール（ＰＯＭ）、環状ポリオレフィン、ポリエチレン（ＰＰ）等の無延伸または延伸フィルムを用いることができる。
【００５５】
接着層１１４は、基材層１１１と金属箔層１１２及び耐熱性樹脂層１４２と酸変性ポリオレフィン層１４１を強固に接着するものである。これらの層間接着はドライラミネート法、押出ラミネート法、共押出ラミネート法、熱ラミネート法等の方法を用いることができる。
【００５６】
ドライラミネート法により貼り合わせを行う際には、ポリエステル系、ポリエチレンイミン系、ポリエーテル系、シアノアクリレート系、ウレタン系、有機チタン系、ポリエーテルウレタン系、エポキシ系、ポリエステルウレタン系、イミド系、イソシアネート系、ポリオレフィン系、シリコーン系の各種接着剤を用いることができる。
【００５７】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。
【００５８】
また、電気化学セルとはリチウムイオン電池以外にニッケル水素電池、ニッケルカドミウム電池、リチウムメタル一次電池あるいは二次電池、リチウムポリマー電池等の化学電池及び電気二重層キャパシタ、キャパシタ、電解コンデンサを含み、電気化学セル本体とは包装材料封入前の正極活物質及び正極集電体から成る正極と、負極活物質及び負極集電体から成る負極と、正極及び負極間に充填される電解質とを含むセル（蓄電部）と、セル内の正極及び負極に連結される電極端子等、電気エネルギーを発生させる電気デバイス要素全てを含むものである。本発明はこれら電気化学セルを包装する包装材料に関する。
【実施例１】
【００５９】
以下、本発明の作用及び効果について、実施例を用いて具体的に説明する。実施例１は、耐熱性フィルムを接着した電気化学セル用包装材の絶縁性について評価したものである。
【００６０】
アルミニウム（厚さ４０μｍ）の両面に化成処理を施し、一方の化成処理面に、延伸ナイロンフィルム（厚さ２５μｍ）を２液硬化型ポリウレタン系接着剤を介してドライラミネート法により貼り合わせた。次に、他の化成処理面に酸変性ポリプロピレンフィルム（厚さ２３μｍ、以下酸変性ＰＰと略す）とポリプロピレンフィルム（厚さ２３μｍ、以下ＰＰフィルムと略す）の２層共押出しフィルムを積層した。これにより、延伸ナイロンフィルム／アルミニウム／酸変性ＰＰ／ＰＰフィルムから構成される積層フィルムを得た。
【００６１】
なお、化成処理層には、フェノール樹脂、フッ化クロム化合物、リン酸からなる処理液をロールコート法により塗布し、皮膜温度が１８０℃以上となる条件において焼付けた。ここで、クロムの塗布量は１０ｍｇ/ｍ2（乾燥重量）とした。
【００６２】
次に、アンカーコート処理が施されたポリエチレンナフタレートフィルム（厚さ１２μｍ）の片面に弱粘着性を有する酸変性ポリプロピレンフィルム（２８μｍ）を溶融押出ししてＰＥＮ／酸変性ＰＰから構成される耐熱性フィルムを得た。
【００６３】
積層フィルムを５５ｍｍ×３２ｍｍに断裁した後、ストレート金型を用いて深さ５．５ｍｍにエンボス成型した。耐熱性フィルムをエンボス成型により形成された側壁と底面の境界部近傍に仮着した。次に、８０℃の環境下で２分間加熱した。
【００６４】
耐熱性フィルムを接着した積層フィルムにタブが外部に突出するように電池要素を収納し、新しい積層フィルムで蓋をした。最後に周縁部をヒートシールして（シール温度１９０℃、面圧１ＭＰａ、シール時間３．０秒、シール幅７ｍｍ）、電池要素を内部に密封収納した。
【００６５】
上記工程により作製された電池に対して過充電を繰り返し行ったところ、短絡は発生しなかった。以上より、耐熱性フィルムを接着した電気化学セル用包装材は一定の絶縁性を有することが分かった。
【産業上の利用可能性】
【００６６】
本発明は、ニッケル水素電池、ニッケルカドミウム電池、リチウムメタル一次電池あるいは二次電池、リチウムポリマー電池等の化学電池及び電気二重層キャパシタ、キャパシタ、電解コンデンサを包装する外装体として用いることができる。
【符号の説明】
【００６７】
１１０            電気化学セル用包装材料
１１１            基材層
１１２            金属箔層
１１３            熱接着性樹脂層
１１４            接着層
１１５            酸変性ポリオレフィン層
１２０            外装体
１２０ａ          凹部
１２０ｂ          シート部
１２０ｃ          底面
１２０ｄ          側壁
１２０ｅ          周縁面
１２０ｆ          境界部
１２１            リチウムイオン電池
１２２            リチウムイオン電池本体
１２３ａ          正極タブ
１２３ｂ          負極タブ
１２５ａ          正極集電体
１２５ｂ          負極集電体
１２６            セル
１３０            タブフィルム
１４０            耐熱性フィルム
１４１            酸変性ポリオレフィン層
１４２            耐熱性樹脂層
【図１】
0005842340.tif 000002
【図２】
0005842340.tif 000003
【図３】
0005842340.tif 000004
【図４】
0005842340.tif 000005
【図５】
0005842340.tif 000006
【図６】
0005842340.tif 000007
【図７】
0005842340.tif 000008
【図８】
0005842340.tif 000009